(57)【特許請求の範囲】
【請求項１】
加湿ロータ(２)を通過する空気から水分を吸収した後、ヒータ(６)により加熱された空気を上記加湿ロータ(２)に通過させて、上記加湿ロータ(２)から水分を脱着することにより加湿された空気を加湿ファン(８)により室内に吹き出す加湿機能を有する空気調和機において、
必要な加湿能力に応じて上記加湿ファン(８)の回転数と上記ヒータ(６)の出力の少なくとも一方を制御する制御部(３３)と、
上記加湿ファン(８)を通過する加湿空気の温度を検出する加湿空気温度センサ(３２)とを備え、
上記制御部(３３)は、上記加湿能力の変動により必要な加湿能力が得られないということがないように、上記加湿空気温度センサ(３２)により検出された上記加湿ファン(８)を通過する加湿空気の温度が目標温度以上となるように、上記ヒータ(６)の出力を制御すると共に、
上記加湿ファン(８)の風量の大小に応じて上記目標温度を高低に設定することを特徴とする加湿機能を有する空気調和機。
【請求項２】
加湿ロータ(２)を通過する空気から水分を吸収した後、ヒータ(６)により加熱された空気を上記加湿ロータ(２)に通過させて、上記加湿ロータ(２)から水分を脱着することにより加湿された空気を加湿ファン(８)により室内に吹き出す加湿機能を有する空気調和機において、
必要な加湿能力に応じて上記加湿ファン(８)の回転数と上記ヒータ(６)の出力の少なくとも一方を制御する制御部(３３)と、
外気温度を検出する外気温度センサ(３１)と、
上記加湿ファン(８)を通過する加湿空気の温度を検出する加湿空気温度センサ(３２)とを備え、
上記制御部(３３)は、上記加湿能力の変動により必要な加湿能力が得られないということがないように、上記外気温度センサ(３１)により検出された上記外気温度および上記加湿空気温度センサ(３２)により検出された上記加湿ファン(８)を通過する加湿空気の温度に基づいて相対湿度を推定し、さらにその相対湿度および上記加湿ファン(８)の風量に基づいて上記加湿ファン(８)を通過する加湿空気の質量流量を求めて、その質量流量が目標質量流量以下となるように、上記ヒータ(６)の出力を制御すると共に、
上記加湿ファン(８)の風量の大小に応じて上記目標質量流量を大小に設定することを特徴とする加湿機能を有する空気調和機。
【請求項３】
加湿ロータ(２)を通過する空気から水分を吸収した後、ヒータ(６)により加熱された空気を上記加湿ロータ(２)に通過させて、上記加湿ロータ(２)から水分を脱着することにより加湿された空気を加湿ファン(８)により室内に吹き出す加湿機能を有する空気調和機において、
必要な加湿能力に応じて上記加湿ファン(８)の回転数と上記ヒータ(６)の出力の少なくとも一方を制御する制御部(３３)と、
上記加湿ファン(８)を通過する加湿空気の温度を検出する加湿空気温度センサ(３２)と、
上記加湿ファン(８)を通過する加湿空気の相対湿度を検出する加湿空気相対湿度センサ(３５)とを備え、
上記制御部(３３)は、上記加湿能力の変動により必要な加湿能力が得られないということがないように、上記加湿空気温度センサ(３２)により検出された上記加湿ファン(８)を通過する加湿空気の温度および上記加湿空気相対湿度センサ(３５)により検出された上記加湿ファン(８)を通過する加湿空気の相対湿度および上記加湿ファン(８)の風量に基づいて上記加湿ファン(８)を通過する加湿空気の質量流量を求めて、その質量流量が目標質量流量以下となるように、上記ヒータ(６)の出力を制御すると共に、
上記加湿ファン(８)の風量の大小に応じて上記目標質量流量を大小に設定することを特徴とする加湿機能を有する空気調和機。
【請求項４】
加湿ロータ(２)を通過する空気から水分を吸収した後、ヒータ(６)により加熱された空気を上記加湿ロータ(２)に通過させて、上記加湿ロータ(２)から水分を脱着することにより加湿された空気を加湿ファン(８)により室内に吹き出す加湿機能を有する空気調和機において、
必要な加湿能力に応じて上記加湿ファン(８)の回転数と上記ヒータ(６)の出力の少なくとも一方を制御する制御部(３３)と、
外気温度を検出する外気温度センサ(３１)と、
上記加湿ファン(８)を通過する加湿空気の温度を検出する加湿空気温度センサ(３２)とを備え、
上記制御部(３３)は、上記加湿能力の変動により必要な加湿能力が得られないということがないように、上記外気温度センサ(３１)により検出された上記外気温度および上記加湿空気温度センサ(３２)により検出された上記加湿ファン(８)を通過する加湿空気の温度に基づいて相対湿度を推定し、さらにその相対湿度と上記加湿空気の温度に基づいて上記加湿ファン(８)を通過する加湿空気の絶対湿度を求めて、その絶対湿度が目標絶対湿度以上となり、かつ、上記加湿ファン(８)を通過する加湿空気の温度が目標温度以上となるように、上記ヒータ(６)の出力を制御すると共に、
上記加湿ファン(８)の風量の大小に応じて上記目標温度を高低に設定し、上記加湿ファン(８)の風量の大小に応じて上記目標絶対湿度を高低に設定することを特徴とする加湿機能を有する空気調和機。
【請求項５】
加湿ロータ(２)を通過する空気から水分を吸収した後、ヒータ(６)により加熱された空気を上記加湿ロータ(２)に通過させて、上記加湿ロータ(２)から水分を脱着することにより加湿された空気を加湿ファン(８)により室内に吹き出す加湿機能を有する空気調和機において、
必要な加湿能力に応じて上記加湿ファン(８)の回転数と上記ヒータ(６)の出力の少なくとも一方を制御する制御部(３３)と、
上記加湿ファン(８)を通過する加湿空気の温度を検出する加湿空気温度センサ(３２)と、
上記加湿ファン(８)を通過する加湿空気の相対湿度を検出する加湿空気相対湿度センサ(３５)とを備え、
上記制御部(３３)は、上記加湿能力の変動により必要な加湿能力が得られないということがないように、上記加湿空気温度センサ(３２)により検出された上記加湿ファン(８)を通過する加湿空気の温度および上記加湿空気相対湿度センサ(３５)により検出された上記加湿ファン(８)を通過する加湿空気の相対湿度に基づいて上記加湿ファン(８)を通過する加湿空気の絶対湿度を求めて、その絶対湿度が目標絶対湿度以上となり、かつ、上記加湿ファン(８)を通過する加湿空気の温度が目標温度以上となるように、上記ヒータ(６)の出力を制御すると共に、
上記加湿ファン(８)の風量の大小に応じて上記目標温度を高低に設定し、上記加湿ファン(８)の風量の大小に応じて上記目標絶対湿度を高低に設定することを特徴とする加湿機能を有する空気調和機。
【請求項６】
加湿ロータ(２)を通過する空気から水分を吸収した後、ヒータ(６)により加熱された空気を上記加湿ロータ(２)に通過させて、上記加湿ロータ(２)から水分を脱着することにより加湿された空気を加湿ファン(８)により室内に吹き出す加湿機能を有する空気調和機において、
必要な加湿能力に応じて上記加湿ファン(８)の回転数と上記ヒータ(６)の出力の少なくとも一方を制御する制御部(３３)と、
外気温度を検出する外気温度センサ(３１)と、
上記加湿ファン(８)を通過する加湿空気の温度を検出する加湿空気温度センサ(３２)とを備え、
上記制御部(３３)は、上記加湿能力の変動により必要な加湿能力が得られないということがないように、上記外気温度センサ(３１)により検出された上記外気温度および上記加湿空気温度センサ(３２)により検出された上記加湿ファン(８)を通過する加湿空気の温度に基づいて相対湿度を推定し、さらにその相対湿度と上記加湿空気の温度に基づいて上記加湿ファン(８)を通過する加湿空気の絶対湿度を求めて、その絶対湿度が目標絶対湿度以上となるか、または、上記加湿ファン(８)を通過する加湿空気の温度が目標温度以上となるように、上記ヒータ(６)の出力を制御すると共に、
上記加湿ファン(８)の風量の大小に応じて上記目標温度を高低に設定し、上記加湿ファン(８)の風量の大小に応じて上記目標絶対湿度を高低に設定することを特徴とする加湿機能を有する空気調和機。
【請求項７】
加湿ロータ(２)を通過する空気から水分を吸収した後、ヒータ(６)により加熱された空気を上記加湿ロータ(２)に通過させて、上記加湿ロータ(２)から水分を脱着することにより加湿された空気を加湿ファン(８)により室内に吹き出す加湿機能を有する空気調和機において、
必要な加湿能力に応じて上記加湿ファン(８)の回転数と上記ヒータ(６)の出力の少なくとも一方を制御する制御部(３３)と、
上記加湿ファン(８)を通過する加湿空気の温度を検出する加湿空気温度センサ(３２)と、
上記加湿ファン(８)を通過する加湿空気の相対湿度を検出する加湿空気相対湿度センサ(３５)とを備え、
上記制御部(３３)は、上記加湿能力の変動により必要な加湿能力が得られないということがないように、上記加湿空気温度センサ(３２)により検出された上記加湿ファン(８)を通過する加湿空気の温度および上記加湿空気相対湿度センサ(３５)により検出された上記加湿ファン(８)を通過する加湿空気の相対湿度に基づいて上記加湿ファン(８)を通過する加湿空気の絶対湿度を求めて、その絶対湿度が目標絶対湿度以上となるか、または、上記加湿ファン(８)を通過する加湿空気の温度が目標温度以上となるように、上記ヒータ(６)の出力を制御すると共に、
上記加湿ファン(８)の風量の大小に応じて上記目標温度を高低に設定し、上記加湿ファン(８)の風量の大小に応じて上記目標絶対湿度を高低に設定することを特徴とする加湿機能を有する空気調和機。
【請求項８】
加湿ロータ(２)を通過する空気から水分を吸収した後、ヒータ(６)により加熱された空気を上記加湿ロータ(２)に通過させて、上記加湿ロータ(２)から水分を脱着することにより加湿された空気を加湿ファン(８)により室内に吹き出す加湿機能を有する空気調和機において、
必要な加湿能力に応じて上記加湿ファン(８)の回転数と上記ヒータ(６)の出力の少なくとも一方を制御する制御部(３３)と、
上記加湿ファン(８)を通過する加湿空気の絶対湿度を検出する加湿空気絶対湿度センサを備え、
上記制御部(３３)は、上記加湿能力の変動により必要な加湿能力が得られないということがないように、上記加湿空気絶対湿度センサにより検出された上記加湿ファン(８)を通過する加湿空気の絶対湿度が目標絶対湿度以上となるように、上記ヒータ(６)の出力を制御すると共に、
上記加湿ファン(８)の風量の大小に応じて上記目標絶対湿度を高低に設定することを特徴とする加湿機能を有する空気調和機。
【発明の詳細な説明】
【０００１】
【発明の属する技術分野】
この発明は、室外から加湿空気を室内に供給する加湿機能を有する空気調和機に関する。
【０００２】
【従来の技術および発明が解決しようとする課題】
従来、加湿機能を有する空気調和機としては、外気に含まれる水分を利用して室内を加湿する加湿ユニットを備えたものがある。この加湿機能を有する空気調和機では、加湿空気の室内吹き出し音は、室外側にある加湿ユニット内の加湿ファンから発生する回転騒音に左右され、加湿ファンを通過する加湿空気の温度が低いほど回転騒音,室内吹き出し音は高くなるという問題と、屋外環境によって屋内で聴く音のレベルが一定しないために居住者に違和感を与えるという問題がある。
【０００３】
そこで、この発明の目的は、加湿空気の室内吹き出し音の上昇を低減でき、安定した室内吹き出し音が得られる加湿機能を有する空気調和機を提供することにある。
【０００４】
【課題を解決するための手段】
【０００５】
【０００６】
上記目的を達成するため、請求項１の加湿機能を有する空気調和機は、
加湿ロータを通過する空気から水分を吸収した後、ヒータにより加熱された空気を上記加湿ロータに通過させて、上記加湿ロータから水分を脱着することにより加湿された空気を加湿ファンにより室内に吹き出す加湿機能を有する空気調和機において、
必要な加湿能力に応じて上記加湿ファンの回転数と上記ヒータの出力の少なくとも一方を制御する制御部と、
上記加湿ファンを通過する加湿空気の温度を検出する加湿空気温度センサとを備え、
上記制御部は、上記加湿能力の変動により必要な加湿能力が得られないということがないように、上記加湿空気温度センサにより検出された上記加湿ファンを通過する加湿空気の温度が目標温度以上となるように、上記ヒータの出力を制御すると共に、
上記加湿ファンの風量の大小に応じて上記目標温度を高低に設定することを特徴としている。
【０００７】
上記請求項１の加湿機能を有する空気調和機によれば、上記ヒータの出力の大小によっても加湿ファンを通過する加湿空気の温度,相対湿度等が変化して、加湿空気の密度が変化する。したがって、上記制御部によりヒータの出力を制御して、加湿ファンの回転騒音を左右する空気密度を小さくし、加湿ファンの回転騒音を所定値以下にすることによって、加湿空気の室内吹き出し音の上昇を低減できる。上記制御部によりヒータの出力を大きくすると、加湿ファンの風量が一定であれば加湿ファンを通過する加湿空気の温度が高くなる一方、ヒータの出力を小さくすると、加湿ファンの風量が一定であれば加湿ファンを通過する加湿空気の温度が低くなる。したがって、上記加湿ファンのヒータの出力を制御することによって、上記加湿空気温度センサにより検出された上記加湿ファンを通過する加湿空気の温度を目標温度以上にすることが可能となる。そうして、上記加湿空気温度センサにより検出された加湿ファンを通過する加湿空気の温度を目標温度以上にすることにより、加湿ファンの回転騒音を左右する空気密度を小さくして、加湿空気の室内吹き出し音の上昇を確実に低減できる。また、上記加湿ファンを通過する加湿空気の温度が目標温度以上の所定温度になるようにすることで、安定した室内吹き出し音が得られる。
また、上記加湿ファンの通過空気の温度,相対湿度等の条件が一定とすると、加湿ファンの風量が多くなるほど室内吹き出し音が大きくなるので、上記加湿ファンの風量の大小に応じて上記目標温度を高低に設定することによって、室内吹き出し音の上昇を確実に低減できる。
また、加湿空気の室内吹き出し音の上昇を低減するために、上記制御部の加湿ファンの風量とヒータの出力の制御により加湿能力が変動する。このような加湿能力の変動により必要な加湿能力が得られないということがないように、必要な加湿能力に応じて、例えば必要な加湿能力をある程度発揮しつつ、加湿空気の室内吹き出し音の上昇を低減する。
【０００８】
また、請求項２の加湿機能を有する空気調和機は、
加湿ロータを通過する空気から水分を吸収した後、ヒータにより加熱された空気を上記加湿ロータに通過させて、上記加湿ロータから水分を脱着することにより加湿された空気を加湿ファンにより室内に吹き出す加湿機能を有する空気調和機において、
必要な加湿能力に応じて上記加湿ファンの回転数と上記ヒータの出力の少なくとも一方を制御する制御部と、
外気温度を検出する外気温度センサと、
上記加湿ファンを通過する加湿空気の温度を検出する加湿空気温度センサとを備え、
上記制御部は、上記加湿能力の変動により必要な加湿能力が得られないということがないように、上記外気温度センサにより検出された上記外気温度および上記加湿空気温度センサにより検出された上記加湿ファンを通過する加湿空気の温度に基づいて相対湿度を推定し、さらにその相対湿度および上記加湿ファンの風量に基づいて上記加湿ファンを通過する加湿空気の質量流量を求めて、その質量流量が目標質量流量以下となるように、上記ヒータの出力を制御すると共に、
上記加湿ファンの風量の大小に応じて上記目標質量流量を大小に設定することを特徴としている。
【０００９】
上記請求項２の加湿機能を有する空気調和機によれば、上記ヒータの出力の大小によっても加湿ファンを通過する加湿空気の温度,相対湿度等が変化して、加湿空気の密度が変化する。したがって、上記制御部によりヒータの出力を制御して、加湿ファンの回転騒音を左右する空気密度を小さくし、加湿ファンの回転騒音を所定値以下にすることによって、加湿空気の室内吹き出し音の上昇を低減できる。上記外気温度センサにより検出された外気温度が高いほど、さらに上記加湿空気温度センサにより検出された加湿空気の温度が低いほど、加湿ロータの吸着量が多くなる傾向にあるので、加湿ファンを通過する加湿空気の相対湿度を推定できる。上記制御部によりヒータの出力を大きくすると、加湿ファンの風量が一定であれば加湿ファンを通過する加湿空気の温度が高くなり、その加湿空気の温度と相対湿度に基づいて求められる質量流量は小さくなる。一方、ヒータの出力を小さくすると、加湿ファンの風量が一定であれば加湿ファンを通過する加湿空気の温度が低くなり、その加湿空気の温度と相対湿度に基づいて求められる質量流量は大きくなる。したがって、上記ヒータの出力を制御することによって、上記加湿空気温度センサにより検出された上記加湿ファンを通過する加湿空気の質量流量を目標質量流量以下にすることが可能となる。そうして、上記加湿空気温度センサにより検出された加湿ファンを通過する加湿空気の温度と推定された相対湿度および加湿ファンの風量に基づいて求められた質量流量を目標質量流量以下にすることにより、加湿ファンの回転騒音を左右する空気密度を小さくして、加湿空気の室内吹き出し音の上昇を確実に低減できる。また、上記加湿ファンを通過する加湿空気の質量流量が目標質量流量以下の所定質量流量になるようにすることで、安定した室内吹き出し音が得られる。また、外気温度と加湿ファンの通過空気温度に基づいて相対湿度を推定することによって、相対湿度センサを別に用いる必要がなくコストを低減できる。
また、上記加湿ファンの風量が大きくなるほど質量流量が小さくなるので、上記加湿ファンの風量の大小に応じて上記目標質量流量を大小に設定することによって、室内吹き出し音の上昇を確実に低減できる。
また、加湿空気の室内吹き出し音の上昇を低減するために、上記制御部の加湿ファンの風量とヒータの出力の制御により加湿能力が変動する。このような加湿能力の変動により必要な加湿能力が得られないということがないように、必要な加湿能力に応じて、例えば必要な加湿能力をある程度発揮しつつ、加湿空気の室内吹き出し音の上昇を低減する。
【００１０】
また、請求項３の加湿機能を有する空気調和機は、
加湿ロータを通過する空気から水分を吸収した後、ヒータにより加熱された空気を上記加湿ロータに通過させて、上記加湿ロータから水分を脱着することにより加湿された空気を加湿ファンにより室内に吹き出す加湿機能を有する空気調和機において、
必要な加湿能力に応じて上記加湿ファンの回転数と上記ヒータの出力の少なくとも一方を制御する制御部と、
上記加湿ファンを通過する加湿空気の温度を検出する加湿空気温度センサと、
上記加湿ファンを通過する加湿空気の相対湿度を検出する加湿空気相対湿度センサとを備え、
上記制御部は、上記加湿能力の変動により必要な加湿能力が得られないということがないように、上記加湿空気温度センサにより検出された上記加湿ファンを通過する加湿空気の温度および上記加湿空気相対湿度センサにより検出された上記加湿ファンを通過する加湿空気の相対湿度および上記加湿ファンの風量に基づいて上記加湿ファンを通過する加湿空気の質量流量を求めて、その質量流量が目標質量流量以下となるように、上記ヒータの出力を制御すると共に、
上記加湿ファンの風量の大小に応じて上記目標質量流量を大小に設定することを特徴としている。
【００１１】
上記請求項３の加湿機能を有する空気調和機によれば、上記ヒータの出力の大小によっても加湿ファンを通過する加湿空気の温度,相対湿度等が変化して、加湿空気の密度が変化する。したがって、上記制御部によりヒータの出力を制御して、加湿ファンの回転騒音を左右する空気密度を小さくし、加湿ファンの回転騒音を所定値以下にすることによって、加湿空気の室内吹き出し音の上昇を低減できる。上記制御部によりヒータの出力を大きくすると、加湿ファンの風量が一定であれば加湿ファンを通過する加湿空気の温度が高くなり、その加湿空気の温度と相対湿度に基づいて求められる質量流量は小さくなる。一方、ヒータの出力を小さくすると、加湿ファンの風量が一定であれば加湿ファンを通過する加湿空気の温度が低くなり、その加湿空気の温度と相対湿度に基づいて求められる質量流量は大きくなる。したがって、上記ヒータの出力を制御することによって、上記加湿空気温度センサにより検出された上記加湿ファンを通過する加湿空気の質量流量を目標質量流量以下にすることが可能となる。そうして、上記加湿空気温度センサにより検出された加湿ファンを通過する加湿空気の温度,加湿空気相対湿度センサにより検出された相対湿度および加湿ファンの風量に基づいて求められた質量流量を目標質量流量以下にすることにより、加湿ファンの回転騒音を左右する空気密度を小さくして、加湿空気の室内吹き出し音の上昇を確実に低減できる。また、上記加湿ファンを通過する加湿空気の質量流量が目標質量流量以下の所定質量流量になるようにすることで、安定した室内吹き出し音が得られる。
また、上記加湿ファンの風量が大きくなるほど質量流量が小さくなるので、上記加湿ファンの風量の大小に応じて上記目標質量流量を大小に設定することによって、室内吹き出し音の上昇を確実に低減できる。
また、加湿空気の室内吹き出し音の上昇を低減するために、上記制御部の加湿ファンの風量とヒータの出力の制御により加湿能力が変動する。このような加湿能力の変動により必要な加湿能力が得られないということがないように、必要な加湿能力に応じて、例えば必要な加湿能力をある程度発揮しつつ、加湿空気の室内吹き出し音の上昇を低減する。
【００１２】
また、請求項４の加湿機能を有する空気調和機は、
加湿ロータを通過する空気から水分を吸収した後、ヒータにより加熱された空気を上記加湿ロータに通過させて、上記加湿ロータから水分を脱着することにより加湿された空気を加湿ファンにより室内に吹き出す加湿機能を有する空気調和機において、
必要な加湿能力に応じて上記加湿ファンの回転数と上記ヒータの出力の少なくとも一方を制御する制御部と、
外気温度を検出する外気温度センサと、
上記加湿ファンを通過する加湿空気の温度を検出する加湿空気温度センサとを備え、
上記制御部は、上記加湿能力の変動により必要な加湿能力が得られないということがないように、上記外気温度センサにより検出された上記外気温度および上記加湿空気温度センサにより検出された上記加湿ファンを通過する加湿空気の温度に基づいて相対湿度を推定し、さらにその相対湿度と上記加湿空気の温度に基づいて上記加湿ファンを通過する加湿空気の絶対湿度を求めて、その絶対湿度が目標絶対湿度以上となり、かつ、上記加湿ファンを通過する加湿空気の温度が目標温度以上となるように、上記ヒータの出力を制御すると共に、
上記加湿ファンの風量の大小に応じて上記目標温度を高低に設定し、上記加湿ファンの風量の大小に応じて上記目標絶対湿度を高低に設定することを特徴としている。
【００１３】
上記請求項４の加湿機能を有する空気調和機によれば、上記ヒータの出力の大小によっても加湿ファンを通過する加湿空気の温度,相対湿度等が変化して、加湿空気の密度が変化する。したがって、上記制御部によりヒータの出力を制御して、加湿ファンの回転騒音を左右する空気密度を小さくし、加湿ファンの回転騒音を所定値以下にすることによって、加湿空気の室内吹き出し音の上昇を低減できる。上記外気温度センサにより検出された外気温度が高いほど、さらに上記加湿空気温度センサにより検出された加湿空気の温度が低いほど、加湿ロータの吸着量が多くなる傾向にあるので、加湿ファンを通過する加湿空気の相対湿度を推定できる。上記制御部によりヒータの出力を大きくすると、加湿ファンの風量が一定であれば加湿ファンを通過する加湿空気の温度が高くなり、その加湿空気の温度と相対湿度に基づいて求められる絶対湿度は高くなる。一方、ヒータの出力を小さくすると、加湿ファンの風量が一定であれば加湿ファンを通過する加湿空気の温度が低くなり、その加湿空気の温度と相対湿度に基づいて求められる絶対湿度は低くなる。したがって、上記ヒータの出力を制御することによって、上記加湿空気温度センサにより検出された上記加湿ファンを通過する加湿空気の温度,相対湿度に基づいて求められた絶対湿度を目標絶対湿度以上にすることが可能となる。そうして、上記加湿空気温度センサにより検出された加湿ファンを通過する加湿空気の温度と推定された相対湿度に基づいて求められた絶対湿度を目標絶対湿度以上にし、かつ、上記加湿ファンを通過する加湿空気の温度を目標温度以上にすることにより、加湿ファンの回転騒音を左右する空気密度を小さくして、加湿空気の室内吹き出し音の上昇を確実に低減できる。また、上記加湿ファンを通過する加湿空気の絶対湿度が目標絶対湿度以上の所定絶対湿度になるようにし、かつ、上記加湿ファンを通過する加湿空気の温度を目標温度以上の所定温度になるようにすることで、安定した室内吹き出し音が得られる。また、外気温度と加湿ファンの通過空気温度に基づいて相対湿度を推定することによって、相対湿度センサを別に用いる必要がなくコストを低減できる。
また、上記加湿ファンの通過空気の温度,相対湿度等の条件が一定とすると、加湿ファンの風量が多くなるほど室内吹き出し音が大きくなるので、上記加湿ファンの風量の大小に応じて上記目標温度を高低に設定することによって、室内吹き出し音の上昇を確実に低減できる。
また、上記加湿ファンの風量が多くなるほど絶対湿度が低くなるので、上記加湿ファンの風量の大小に応じて上記目標絶対湿度を高低に設定することによって、室内吹き出し音の上昇を確実に低減できる。
また、加湿空気の室内吹き出し音の上昇を低減するために、上記制御部の加湿ファンの風量とヒータの出力の制御により加湿能力が変動する。このような加湿能力の変動により必要な加湿能力が得られないということがないように、必要な加湿能力に応じて、例えば必要な加湿能力をある程度発揮しつつ、加湿空気の室内吹き出し音の上昇を低減する。
【００１４】
また、請求項５の加湿機能を有する空気調和機は、
加湿ロータを通過する空気から水分を吸収した後、ヒータにより加熱された空気を上記加湿ロータに通過させて、上記加湿ロータから水分を脱着することにより加湿された空気を加湿ファンにより室内に吹き出す加湿機能を有する空気調和機において、
必要な加湿能力に応じて上記加湿ファンの回転数と上記ヒータの出力の少なくとも一方を制御する制御部と、
上記加湿ファンを通過する加湿空気の温度を検出する加湿空気温度センサと、
上記加湿ファンを通過する加湿空気の相対湿度を検出する加湿空気相対湿度センサとを備え、
上記制御部は、上記加湿能力の変動により必要な加湿能力が得られないということがないように、上記加湿空気温度センサにより検出された上記加湿ファンを通過する加湿空気の温度および上記加湿空気相対湿度センサにより検出された上記加湿ファンを通過する加湿空気の相対湿度に基づいて上記加湿ファンを通過する加湿空気の絶対湿度を求めて、その絶対湿度が目標絶対湿度以上となり、かつ、上記加湿ファンを通過する加湿空気の温度が目標温度以上となるように、上記ヒータの出力を制御すると共に、
上記加湿ファンの風量の大小に応じて上記目標温度を高低に設定し、上記加湿ファンの風量の大小に応じて上記目標絶対湿度を高低に設定することを特徴としている。
【００１５】
上記請求項５の加湿機能を有する空気調和機によれば、上記ヒータの出力の大小によっても加湿ファンを通過する加湿空気の温度,相対湿度等が変化して、加湿空気の密度が変化する。したがって、上記制御部によりヒータの出力を制御して、加湿ファンの回転騒音を左右する空気密度を小さくし、加湿ファンの回転騒音を所定値以下にすることによって、加湿空気の室内吹き出し音の上昇を低減できる。上記制御部によりヒータの出力を大きくすると、加湿ファンの風量が一定であれば加湿ファンを通過する加湿空気の温度が高くなり、その加湿空気の温度と相対湿度に基づいて求められる絶対湿度は高くなる。一方、ヒータの出力を小さくすると、加湿ファンの風量が一定であれば加湿ファンを通過する加湿空気の温度が低くなり、その加湿空気の温度と相対湿度に基づいて求められる絶対湿度は低くなる。したがって、上記ヒータの出力を制御することによって、上記加湿空気温度センサにより検出された上記加湿ファンを通過する加湿空気の絶対湿度を目標絶対湿度以上にすることが可能となる。そうして、上記加湿空気温度センサにより検出された加湿ファンを通過する加湿空気の温度,加湿空気相対湿度センサにより検出された相対湿度に基づいて求められた絶対湿度を目標絶対湿度以上にし、かつ、上記加湿ファンを通過する加湿空気の温度を目標温度以上にすることにより、加湿ファンの回転騒音を左右する空気密度を小さくして、加湿空気の室内吹き出し音の上昇を確実に低減できる。また、上記加湿ファンを通過する加湿空気の絶対湿度が目標絶対湿度以上の所定絶対湿度になるようにし、かつ、上記加湿ファンを通過する加湿空気の温度を目標温度以上の所定温度になるようにすることで、安定した室内吹き出し音が得られる。
また、上記加湿ファンの通過空気の温度,相対湿度等の条件が一定とすると、加湿ファンの風量が多くなるほど室内吹き出し音が大きくなるので、上記加湿ファンの風量の大小に応じて上記目標温度を高低に設定することによって、室内吹き出し音の上昇を確実に低減できる。
また、上記加湿ファンの風量が多くなるほど絶対湿度が低くなるので、上記加湿ファンの風量の大小に応じて上記目標絶対湿度を高低に設定することによって、室内吹き出し音の上昇を確実に低減できる。
また、加湿空気の室内吹き出し音の上昇を低減するために、上記制御部の加湿ファンの風量とヒータの出力の制御により加湿能力が変動する。このような加湿能力の変動により必要な加湿能力が得られないということがないように、必要な加湿能力に応じて、例えば必要な加湿能力をある程度発揮しつつ、加湿空気の室内吹き出し音の上昇を低減する。
【００１６】
また、請求項６の加湿機能を有する空気調和機は、
加湿ロータを通過する空気から水分を吸収した後、ヒータにより加熱された空気を上記加湿ロータに通過させて、上記加湿ロータから水分を脱着することにより加湿された空気を加湿ファンにより室内に吹き出す加湿機能を有する空気調和機において、
必要な加湿能力に応じて上記加湿ファンの回転数と上記ヒータの出力の少なくとも一方を制御する制御部と、
外気温度を検出する外気温度センサと、
上記加湿ファンを通過する加湿空気の温度を検出する加湿空気温度センサとを備え、
上記制御部は、上記加湿能力の変動により必要な加湿能力が得られないということがないように、上記外気温度センサにより検出された上記外気温度および上記加湿空気温度センサにより検出された上記加湿ファンを通過する加湿空気の温度に基づいて相対湿度を推定し、さらにその相対湿度と上記加湿空気の温度に基づいて上記加湿ファンを通過する加湿空気の絶対湿度を求めて、その絶対湿度が目標絶対湿度以上となるか、または、上記加湿ファンを通過する加湿空気の温度が目標温度以上となるように、上記ヒータの出力を制御すると共に、
上記加湿ファンの風量の大小に応じて上記目標温度を高低に設定し、上記加湿ファンの風量の大小に応じて上記目標絶対湿度を高低に設定することを特徴としている。
【００１７】
上記請求項６の加湿機能を有する空気調和機によれば、上記ヒータの出力の大小によっても加湿ファンを通過する加湿空気の温度,相対湿度等が変化して、加湿空気の密度が変化する。したがって、上記制御部によりヒータの出力を制御して、加湿ファンの回転騒音を左右する空気密度を小さくし、加湿ファンの回転騒音を所定値以下にすることによって、加湿空気の室内吹き出し音の上昇を低減できる。上記外気温度センサにより検出された外気温度が高いほど、さらに上記加湿空気温度センサにより検出された加湿空気の温度が低いほど、加湿ロータの吸着量が多くなる傾向にあるので、加湿ファンを通過する加湿空気の相対湿度を推定できる。上記制御部によりヒータの出力を大きくすると、加湿ファンの風量が一定であれば加湿ファンを通過する加湿空気の温度が高くなり、その加湿空気の温度と相対湿度に基づいて求められる絶対湿度は高くなる。一方、ヒータの出力を小さくすると、加湿ファンの風量が一定であれば加湿ファンを通過する加湿空気の温度が低くなり、その加湿空気の温度と相対湿度に基づいて求められる絶対湿度は低くなる。したがって、上記ヒータの出力を制御することによって、上記加湿空気温度センサにより検出された上記加湿ファンを通過する加湿空気の絶対湿度を目標絶対湿度以上にすることが可能となる。そうして、上記加湿空気温度センサにより検出された加湿ファンを通過する加湿空気の温度と推定された相対湿度に基づいて求められた絶対湿度を目標絶対湿度以上にするか、または、上記加湿ファンを通過する加湿空気の温度を目標温度以上にすることにより、加湿ファンの回転騒音を左右する空気密度を小さくして、加湿空気の室内吹き出し音の上昇を確実に低減できる。また、上記加湿ファンを通過する加湿空気の絶対湿度が目標絶対湿度以上の所定絶対湿度になるようにするか、または、上記加湿ファンを通過する加湿空気の温度を目標温度以上の所定温度になるようにすることで、安定した室内吹き出し音が得られる。また、外気温度と加湿ファンの通過空気温度に基づいて相対湿度を推定することによって、相対湿度センサを別に用いる必要がなくコストを低減できる。
また、上記加湿ファンの通過空気の温度,相対湿度等の条件が一定とすると、加湿ファンの風量が多くなるほど室内吹き出し音が大きくなるので、上記加湿ファンの風量の大小に応じて上記目標温度を高低に設定することによって、室内吹き出し音の上昇を確実に低減できる。
また、上記加湿ファンの風量が多くなるほど絶対湿度が低くなるので、上記加湿ファンの風量の大小に応じて上記目標絶対湿度を高低に設定することによって、室内吹き出し音の上昇を確実に低減できる。
また、加湿空気の室内吹き出し音の上昇を低減するために、上記制御部の加湿ファンの風量とヒータの出力の制御により加湿能力が変動する。このような加湿能力の変動により必要な加湿能力が得られないということがないように、必要な加湿能力に応じて、例えば必要な加湿能力をある程度発揮しつつ、加湿空気の室内吹き出し音の上昇を低減する。
【００１８】
また、請求項７の加湿機能を有する空気調和機は、
加湿ロータを通過する空気から水分を吸収した後、ヒータにより加熱された空気を上記加湿ロータに通過させて、上記加湿ロータから水分を脱着することにより加湿された空気を加湿ファンにより室内に吹き出す加湿機能を有する空気調和機において、
必要な加湿能力に応じて上記加湿ファンの回転数と上記ヒータの出力の少なくとも一方を制御する制御部と、
上記加湿ファンを通過する加湿空気の温度を検出する加湿空気温度センサと、
上記加湿ファンを通過する加湿空気の相対湿度を検出する加湿空気相対湿度センサとを備え、
上記制御部は、上記加湿能力の変動により必要な加湿能力が得られないということがないように、上記加湿空気温度センサにより検出された上記加湿ファンを通過する加湿空気の温度および上記加湿空気相対湿度センサにより検出された上記加湿ファンを通過する加湿空気の相対湿度に基づいて上記加湿ファンを通過する加湿空気の絶対湿度を求めて、その絶対湿度が目標絶対湿度以上となるか、または、上記加湿ファンを通過する加湿空気の温度が目標温度以上となるように、上記ヒータの出力を制御すると共に、
上記加湿ファンの風量の大小に応じて上記目標温度を高低に設定し、上記加湿ファンの風量の大小に応じて上記目標絶対湿度を高低に設定することを特徴としている。
【００１９】
上記請求項７の加湿機能を有する空気調和機によれば、上記ヒータの出力の大小によっても加湿ファンを通過する加湿空気の温度,相対湿度等が変化して、加湿空気の密度が変化する。したがって、上記制御部によりヒータの出力を制御して、加湿ファンの回転騒音を左右する空気密度を小さくし、加湿ファンの回転騒音を所定値以下にすることによって、加湿空気の室内吹き出し音の上昇を低減できる。上記制御部によりヒータの出力を大きくすると、加湿ファンの風量が一定であれば加湿ファンを通過する加湿空気の温度が高くなり、その加湿空気の温度と相対湿度に基づいて求められる絶対湿度は高くなる。一方、ヒータの出力を小さくすると、加湿ファンの風量が一定であれば加湿ファンを通過する加湿空気の温度が低くなり、その加湿空気の温度と相対湿度に基づいて求められる絶対湿度は低くなる。したがって、上記ヒータの出力を制御することによって、上記加湿空気温度センサにより検出された上記加湿ファンを通過する加湿空気の絶対湿度を目標絶対湿度以上にすることが可能となる。そうして、上記加湿空気温度センサにより検出された加湿ファンを通過する加湿空気の温度と加湿空気相対湿度センサにより検出された相対湿度に基づいて求められた絶対湿度を目標絶対湿度以上にするか、または、上記加湿ファンを通過する加湿空気の温度を目標温度以上にすることにより、加湿ファンの回転騒音を左右する空気密度を小さくして、加湿空気の室内吹き出し音の上昇を確実に低減できる。また、上記加湿ファンを通過する加湿空気の絶対湿度が目標絶対湿度以上の所定絶対湿度になるようにするか、または、上記加湿ファンを通過する加湿空気の温度を目標温度以上の所定温度になるようにすることで、安定した室内吹き出し音が得られる。
また、上記加湿ファンの通過空気の温度,相対湿度等の条件が一定とすると、加湿ファンの風量が多くなるほど室内吹き出し音が大きくなるので、上記加湿ファンの風量の大小に応じて上記目標温度を高低に設定することによって、室内吹き出し音の上昇を確実に低減できる。
また、上記加湿ファンの風量が多くなるほど絶対湿度が低くなるので、上記加湿ファンの風量の大小に応じて上記目標絶対湿度を高低に設定することによって、室内吹き出し音の上昇を確実に低減できる。
また、加湿空気の室内吹き出し音の上昇を低減するために、上記制御部の加湿ファンの風量とヒータの出力の制御により加湿能力が変動する。このような加湿能力の変動により必要な加湿能力が得られないということがないように、必要な加湿能力に応じて、例えば必要な加湿能力をある程度発揮しつつ、加湿空気の室内吹き出し音の上昇を低減する。
【００２０】
また、請求項８の加湿機能を有する空気調和機は、
加湿ロータを通過する空気から水分を吸収した後、ヒータにより加熱された空気を上記加湿ロータに通過させて、上記加湿ロータから水分を脱着することにより加湿された空気を加湿ファンにより室内に吹き出す加湿機能を有する空気調和機において、
必要な加湿能力に応じて上記加湿ファンの回転数と上記ヒータの出力の少なくとも一方を制御する制御部と、
上記加湿ファンを通過する加湿空気の絶対湿度を検出する加湿空気絶対湿度センサを備え、
上記制御部は、上記加湿能力の変動により必要な加湿能力が得られないということがないように、上記加湿空気絶対湿度センサにより検出された上記加湿ファンを通過する加湿空気の絶対湿度が目標絶対湿度以上となるように、上記ヒータの出力を制御すると共に、
上記加湿ファンの風量の大小に応じて上記目標絶対湿度を高低に設定することを特徴としている。
【００２１】
上記請求項８の加湿機能を有する空気調和機によれば、上記ヒータの出力の大小によっても加湿ファンを通過する加湿空気の温度,相対湿度等が変化して、加湿空気の密度が変化する。したがって、上記制御部によりヒータの出力を制御して、加湿ファンの回転騒音を左右する空気密度を小さくし、加湿ファンの回転騒音を所定値以下にすることによって、加湿空気の室内吹き出し音の上昇を低減できる。上記制御部によりヒータの出力を大きくすると、加湿ファンの風量が一定であれば加湿ファンを通過する加湿空気の温度が高くなり、その加湿空気の温度と相対湿度に基づいて求められる絶対湿度は高くなる。一方、ヒータの出力を小さくすると、加湿ファンの風量が一定であれば加湿ファンを通過する加湿空気の温度が低くなり、その加湿空気の温度と相対湿度に基づいて求められる絶対湿度は低くなる。したがって、上記ヒータの出力を制御することによって、上記加湿空気温度センサにより検出された上記加湿ファンを通過する加湿空気の絶対湿度を目標絶対湿度以上にすることが可能となる。そうして、上記加湿空気絶対湿度センサにより検出された加湿ファンを通過する加湿空気の絶対湿度を目標絶対湿度以上にすることにより、加湿ファンの回転騒音を左右する空気密度を小さくして、加湿空気の室内吹き出し音の上昇を確実に低減できる。また、上記加湿ファンを通過する加湿空気の絶対湿度が目標絶対湿度以上の所定絶対湿度になるようにすることで、安定した室内吹き出し音が得られる。
また、上記加湿ファンの風量が多くなるほど絶対湿度が低くなるので、上記加湿ファンの風量の大小に応じて上記目標絶対湿度を高低に設定することによって、室内吹き出し音の上昇を確実に低減できる。
また、加湿空気の室内吹き出し音の上昇を低減するために、上記制御部の加湿ファンの風量とヒータの出力の制御により加湿能力が変動する。このような加湿能力の変動により必要な加湿能力が得られないということがないように、必要な加湿能力に応じて、例えば必要な加湿能力をある程度発揮しつつ、加湿空気の室内吹き出し音の上昇を低減する。
【００２２】
【００２３】
【００２４】
【００２５】
【００２６】
【００２７】
【００２８】
【００２９】
【００３０】
【発明の実施の形態】
以下、この発明の加湿機能を有する空気調和機を図示の実施の形態により詳細に説明する。
【００３１】
（第１実施形態）
図１はこの発明の第１実施形態の加湿機能を有する空気調和機の加湿ユニットの要部の模式図であり、この加湿ユニットは、図１に示すように、円板状の加湿ロータ２を有し、この加湿ロータ２は、シリカゲル,ゼオライト,アルミナ等の吸着材を例えばハニカム状または多孔多粒状に成形されている。上記加湿ロータ２は、軸を中心に図示しないモータによって矢印Ｒの方向に回転し、その回転に伴って、加湿ロータ２の各部が順次、吸湿領域Ａ、加湿領域Ｈ、採熱領域Ｔを通るようになっている。また、上記加湿ロータ２を図示しないケーシング内に配置して、このケーシング内を図示しない仕切り板で仕切ることによって、吸湿領域Ａを経由する吸湿通路３と、加湿領域Ｈを経由する加湿通路４と、採熱領域Ｔを経由する採熱通路５とを形成している。そして、上記採熱領域Ｔで予熱した空気をさらに加熱するために、加湿通路４と採熱通路５との間にヒータ６を設置している。なお、上記加湿通路４は採熱通路５の下流側に連なっている。
【００３２】
上記加湿通路４の加湿ロータ２よりも下流側に加湿ファン８を設けて、矢印に示すように外気を流して、加湿ロータ２の加湿領域Ｈで水分を脱着することにより加湿された空気を図示しない室内に供給する。一方、上記吸湿通路３の加湿ロータ２よりも下流側には吸湿ファン７を設けて、空気を矢印に示すように吸引して流すようにしている。上記吸湿通路３には、吸引された空気が加湿ロータ２の吸湿領域Ａを通るときに、加湿ロータ２に水分が吸着される。
【００３３】
また、この第１実施形態の加湿機能を有する空気調和機は、図２に示すように、室外機１１に加湿ユニット１を搭載している。この室外機１１は、機械室１２に配置された熱交換器１４を有している。また、上記室外機１１に吸入口１３を設けて、暖房運転時、この吸入口１３から吸い込まれた外気は、熱交換器１４を経由して冷却された後、採熱通路５の加湿ロータ２よりも上流側に流入する。これにより、上記採熱通路５が経由する加湿ロータ２の部分と、採熱通路５に供給される空気との温度差が大きくなり、採熱効率が向上する。
【００３４】
また、図３は上記加湿ユニット１の要部の側面図である。図３に示すように、加湿ファン用ハウジング２３内に、加湿ファン用モータ２１の軸２１aに固定された加湿ファン８を配置している。そして、加湿ファン用ハウジング２３の下側に、吸込口２４aを有するベルマウス２４を取り付け、そのベルマウス２４と底フレーム１０との間に吸い込み通路２５(図１に示す加湿通路４の加湿ロータ２の下流側)を形成している。また、上記ベルマウス２４の下側に下方に延びる円筒部２４bを設け、その円筒部２４bの先端を、底フレーム１０に形成された円筒部１０bの入口側に嵌合している。また、上記加湿ファン用ハウジング２３を底フレーム１０固定して、加湿ファン用ハウジング２３と底フレーム１０でベルマウス２４を挟み込んでいる。さらに、上記底フレーム１０にモータ取付板２２を固定して、モータ取付板２２と底フレーム１０で加湿ファン用ハウジング２３,ベルマウス２４を挟み込んでいる。そして、上記加湿ファン用ハウジング２３内のベルマウス２４の円筒部２４b近傍に加湿空気温度センサ３２を取り付けている。
【００３５】
また、図４は上記加湿機能を有する空気調和機において外気温度センサを備えた場合のブロック図を示している。図４に示すように、この空気調和機は、外気温度を検出する外気温度センサ３１と、加湿ファン８を通過する加湿空気の温度を検出する加湿空気温度センサ３２と、上記外気温度センサ３１により検出された外気温度および加湿空気温度センサ３２により検出された加湿ファンを通過する空気の温度に基づいて、加湿制御を行う制御部としての加湿制御部３３と、上記加湿制御部３３により回転数等が制御される加湿ファン８と、上記加湿制御部３３により制御されるヒータ６とを備えている。上記加湿制御部３３は、マイクロコンピュータと入出力回路等からなる。
【００３６】
図５は図４に示す加湿機能を有する空気調和機の加湿制御処理の加湿制御部３３の動作を示すフローチャートである。なお、この加湿制御処理がスタートする前に、加湿ファン８の回転数と目標温度としての目標通過空気温度に初期値を夫々設定する。
【００３７】
まず、処理がスタートすると、ステップＳ１１で加湿ファン８の回転数を変えたか否かを判別して、加湿ファン８の回転数を変えていないと判別すると、ステップＳ１３に進む。一方、ステップＳ１１で加湿ファン８の回転数を変えたと判別すると、ステップＳ１２に進み、加湿ファン８の回転数に応じて目標通過空気温度の変更を行い、ステップＳ１３に進む。ここで、加湿ファン８の回転数の大小に応じて目標通過空気温度を高低に設定する。
【００３８】
次に、ステップＳ１３で加湿空気温度センサ３２により加湿ファン８の通過空気温度の読み込みを行う。
【００３９】
次に、ステップＳ１４に進み、通過空気温度が目標通過空気温度以上か否かを判別して、通過空気温度が目標通過空気温度未満であると判別すると、ステップＳ１６に進み、ヒーター出力を上げて、ステップＳ１８に進む。一方、ステップＳ１４で通過空気温度が目標通過空気温度以上であると判別すると、ステップＳ１５に進む。
【００４０】
次に、ステップＳ１５で加湿ファン８の通過空気温度が制限温度よりも高いか否かを判別して、通過空気温度が制限温度よりも高いと判別すると、ステップＳ１７に進み、ヒータ出力を所定出力下げて、ステップＳ１８に進む。ここで、制御温度とは、機構上、各構成部が絶え得る温度の上限値である。
【００４１】
一方、ステップＳ１５で通過空気温度が制限温度以下であると判別すると、ステップＳ１１に戻る。
【００４２】
次に、ステップＳ１８でステップＳ１１に戻るサイクルを何回繰り返したか判断し、Ｎ回未満ならステップＳ１１に戻り、Ｎ回目ならステップＳ１９に進み、加湿ファン８の回転数を所定回転数下げて、ステップＳ１１に戻る。
【００４３】
図１４は風量の大小に応じた加湿ファン通過空気の温度と室内吹き出し音の関係を示しており、図１４において、横軸が加湿ファン通過空気の温度(任意目盛)を表し、縦軸が室内吹き出し音(任意目盛)を表している。なお、このときの相対湿度は一定とする。図１４に示すように、加湿ファン８の通過する空気の温度が高いほど、室内吹き出し音は小さくなると共に、加湿ファン８の風量が小さいほど、室内吹き出し音は小さくなる。
【００４４】
このように、上記制御部３３によりヒータ６の出力を制御して、加湿ファン８を通過する加湿空気の温度を目標通過空気温度以上にすることにより、加湿ファン８の回転騒音を左右する空気密度を小さくして、加湿空気の室内吹き出し音の上昇を低減することができる。また、上記加湿ファン８を通過する加湿空気の温度が目標通過空気温度以上の所定温度になるようにすることによって、室内吹き出し音を安定させることができる。
【００４５】
なお、加湿空気の室内吹き出し音の上昇を低減するために、加湿ファン８の回転数とヒータ６の出力を制御すると、加湿ユニット本来の加湿能力が変動してしまうので、必要な加湿能力に応じて、例えば必要な加湿能力をある程度発揮しつつ、加湿空気の室内吹き出し音の上昇を低減する制御を行う。
【００４６】
（第２実施形態）
次に、この発明の第２実施形態の加湿機能を有する空気調和機について説明する。この第２実施形態の加湿機能を有する空気調和機は、第１実施形態の加湿機能を有する空気調和機と同一の構成をしており、加湿制御部３３の加湿制御処理のみが異なる。
【００４７】
図６は上記加湿機能を有する空気調和機の加湿制御処理の加湿制御部３３の動作を示すフローチャートである。なお、この加湿制御処理がスタートする前に、加湿ファン８の回転数と目標質量流量に初期値を夫々設定する。
【００４８】
まず、処理がスタートすると、ステップＳ２１で加湿ファン８の回転数を変えたか否かを判別して、加湿ファン８の回転数を変えていないと判別すると、ステップＳ２３に進む。一方、ステップＳ２１で加湿ファン８の回転数を変えたと判別すると、ステップＳ２２に進み、加湿ファン８の回転数に応じて目標質量流量の変更を行い、ステップＳ２３に進む。
【００４９】
次に、ステップＳ２３で外気温度センサ３１により外気温度の読み込みを行う。
【００５０】
次に、ステップＳ２４で加湿空気温度センサ３２により加湿ファン８の通過空気温度の読み込みを行う。
【００５１】
次に、ステップＳ２５に進み、相対湿度の推定を行う。ここで、上記外気温度センサ３１により検出された外気温度が高いほど、さらに加湿空気温度センサ３２により検出された加湿空気の温度が低いほど、加湿ロータ２の吸着量が多くなる傾向にあるので、加湿ファン８を通過する加湿空気の相対湿度を推定できる。したがって、このような外気温度と加湿ファン８の通過空気温度との関係から加湿ファン８の通過空気の相対湿度を決定するテーブルを予め作成しておき、そのテーブルに基づいて通過空気の相対湿度を推定する。なお、外気温度と加湿空気の温度との関係から外気湿度を決定する関係式などを用いてもよい。
【００５２】
次に、ステップＳ２６に進み、加湿空気の質量流量の算出を行う。この加湿空気の質量流量は、加湿ファン８の通過空気温度と通過空気の相対湿度より湿り空気線図を用いて比体積を求めて、その比体積と加湿ファン８の風量より算出する。
【００５３】
次に、ステップＳ２７に進み、算出された質量流量が目標質量流量以下であるか否かを判別して、質量流量が目標質量流量を越えると判別すると、ステップＳ２９に進み、ヒータ出力を上げて、ステップＳ３１に進む。一方、ステップＳ２７で質量流量が目標質量流量以下であると判別すると、ステップＳ２８に進む。
【００５４】
次に、ステップＳ２８で加湿ファン８の通過空気温度が制限温度よりも高いか否かを判別して、通過空気温度が制限温度よりも高いと判別すると、ステップＳ３０に進み、ヒータ出力を所定出力下げて、ステップＳ３１に進む。
【００５５】
一方、ステップＳ２８で通過空気温度が制限温度以下であると判別すると、ステップＳ２１に戻る。
【００５６】
次に、ステップＳ３１でステップＳ２１に戻るサイクルを何回繰り返したか判断し、Ｎ回未満ならステップＳ２１に戻り、Ｎ回目ならステップＳ３２に進み、加湿ファン８の回転数を所定回転数下げて、ステップＳ２１に戻る。
【００５７】
このように、上記制御部３３によりヒータ６の出力を制御して、加湿ファン８を通過する加湿空気の温度,相対湿度および加湿ファン８の風量に基づいて求められた質量流量を目標質量流量以下にすることにより、加湿ファン８の回転騒音を左右する空気密度を小さくして、加湿空気の室内吹き出し音の上昇を低減することができる。また、上記加湿ファン８を通過する加湿空気の質量流量が目標質量流量以下の所定質量流量になるようにすることによって、室内吹き出し音を安定させることができる。
【００５８】
また、相対湿度センサがなくとも、外気温度と加湿ファン８の通過空気温度に基づいて相対湿度を推定することができ、コストを低減することができる。
【００５９】
（第３実施形態）
図７はこの発明の第３実施形態の加湿機能を有する空気調和機のブロック図を示している。この空気調和機は、外気温度センサの代わりに加湿ファン８を通過する加湿空気の相対湿度を検出する加湿空気相対湿度センサ３５を備えている以外は第１実施形態の加湿機能を有する空気調和機と同一の構成をしており、同一構成部は同一参照番号を付して説明を省略する。
【００６０】
図８は上記加湿機能を有する空気調和機の加湿制御処理の加湿制御部３３の動作を示すフローチャートである。なお、この加湿制御処理がスタートする前に、加湿ファン８の回転数と目標質量流量に初期値を夫々設定する。
【００６１】
まず、処理がスタートすると、ステップＳ４１で加湿ファン８の回転数を変えたか否かを判別して、加湿ファン８の回転数を変えていないと判別すると、ステップＳ４３に進む。一方、ステップＳ４１で加湿ファン８の回転数を変えたと判別すると、ステップＳ４２に進み、加湿ファン８の回転数に応じて目標質量流量の変更を行い、ステップＳ４３に進む。
【００６２】
次に、ステップＳ４３で加湿空気相対湿度センサ３５により相対湿度の読み込みを行う。
【００６３】
次に、ステップＳ４４で加湿空気温度センサ３２により加湿ファン８の通過空気温度の読み込みを行う。
【００６４】
次に、ステップＳ４５に進み、加湿空気の質量流量の算出を行う。この加湿空気の質量流量は、加湿ファン８の通過空気温度と通過空気の相対湿度より湿り空気線図を用いて比体積を求めて、その比体積と加湿ファン８の風量より算出する。
【００６５】
次に、ステップＳ４６に進み、算出された質量流量が目標質量流量以下であるか否かを判別して、質量流量が目標質量流量を越えると判別すると、ステップＳ４８に進み、ヒータ出力を上げて、ステップＳ５０-１に進む。一方、ステップＳ４６で質量流量が目標質量流量以下であると判別すると、ステップＳ４７に進む。
【００６６】
次に、ステップＳ４７で加湿ファン８の通過空気温度が制限温度よりも高いか否かを判別して、通過空気温度が制限温度よりも高いと判別すると、ステップＳ４９に進み、ヒータ出力を所定出力下げて、ステップＳ５０-１に進む。
【００６７】
一方、ステップＳ４７で通過空気温度が制限温度以下であると判別すると、ステップＳ４１に戻る。
【００６８】
次に、ステップＳ５０-１でステップＳ４１に戻るサイクルを何回繰り返したか判断し、Ｎ回未満ならステップＳ４１に戻り、Ｎ回目ならステップＳ５０-２に進み、加湿ファン８の回転数を所定回転数下げて、ステップＳ４１に戻る。
【００６９】
このように、上記制御部３３によりヒータ６の出力を制御して、加湿ファン８を通過する加湿空気の温度,相対湿度および加湿ファン８の風量に基づいて求められた質量流量を目標質量流量以下にすることにより、加湿ファン８の回転騒音を左右する空気密度を小さくして、加湿空気の室内吹き出し音の上昇を低減することができる。また、上記加湿ファン８を通過する加湿空気の質量流量が目標質量流量以下の所定質量流量になるようにすることによって、室内吹き出し音を安定させることができる。
【００７０】
（第４実施形態）
次に、この発明の第４実施形態の加湿機能を有する空気調和機について説明する。この第４実施形態の加湿機能を有する空気調和機は、第１実施形態の加湿機能を有する空気調和機と同一の構成をしており、加湿制御部３３の加湿制御処理のみが異なる。
【００７１】
図９は上記加湿機能を有する空気調和機の加湿制御処理の加湿制御部３３の動作を示すフローチャートである。なお、この加湿制御処理がスタートする前に、加湿ファン８の回転数と目標通過空気温度と目標質量流量に初期値を夫々設定する。
【００７２】
まず、処理がスタートすると、ステップＳ５１で加湿ファン８の回転数を変えたか否かを判別して、加湿ファン８の回転数を変えていないと判別すると、ステップＳ５３に進む。一方、ステップＳ５１で加湿ファン８の回転数を変えたと判別すると、ステップＳ５２に進み、加湿ファン８の回転数に応じて目標通過空気温度と目標絶対湿度の変更を行い、ステップＳ５３に進む。
【００７３】
次に、ステップＳ５３で外気温度センサ３１により外気温度の読み込みを行う。
【００７４】
次に、ステップＳ５４で加湿空気温度センサ３２により加湿ファン８の通過空気温度の読み込みを行う。
【００７５】
次に、ステップＳ５５に進み、相対湿度の推定を行う。この相対湿度の推定は、第３実施形態と同様の方法により行う。
【００７６】
次に、ステップＳ５６に進み、加湿空気の絶対湿度の算出を行う。この加湿空気の絶対湿度は、加湿ファン８の通過空気温度と相対湿度より算出する。
【００７７】
次に、ステップＳ５７に進み、通過空気温度が目標通過空気温度以上か否かを判別して、通過空気温度が目標通過空気温度未満であると判別すると、ステップＳ６０に進み、ヒータ出力を上げて、ステップＳ６２に進む。一方、ステップＳ５７で通過空気温度が目標通過空気温度以上であると判別すると、ステップＳ５８に進む。
【００７８】
次に、ステップＳ５８で算出された絶対湿度が目標絶対湿度以上か否かを判別して、絶対湿度が目標絶対湿度未満であると判別すると、ステップＳ６０に進み、ヒータ出力を上げて、ステップＳ６２に進む。一方、絶対湿度が目標絶対湿度以上であると判別すると、ステップＳ５９に進む。
【００７９】
次に、ステップＳ５９で加湿ファン８の通過空気温度が制限温度よりも高いか否かを判別して、通過空気温度が制限温度よりも高いと判別すると、ステップＳ６１に進み、ヒータ出力を所定出力下げて、ステップＳ６２に進む。
【００８０】
一方、ステップＳ５９で通過空気温度が制限温度以下であると判別すると、ステップＳ５１に戻る。
【００８１】
次に、ステップＳ６２でステップＳ５１に戻るサイクルを何回繰り返したか判断し、Ｎ回未満ならステップＳ５１に戻り、Ｎ回目ならステップＳ６３に進み、加湿ファン８の回転数を所定回転数下げて、ステップＳ５１に戻る。
【００８２】
このように、上記制御部３３によりヒータ６の出力を制御して、加湿ファン８を通過する加湿空気の温度,相対湿度に基づいて求められた絶対湿度を目標絶対湿度以上にし、かつ、加湿ファン８を通過する加湿空気の温度を目標通過空気温度以上にすることにより、加湿ファン８の回転騒音を左右する空気密度を小さくして、加湿空気の室内吹き出し音の上昇を低減することができる。また、上記加湿ファン８を通過する加湿空気の絶対湿度が目標絶対湿度以上の所定絶対湿度になるようにし、かつ、加湿ファン８を通過する加湿空気の温度を目標通過空気温度以上の所定温度になるようにすることで、室内吹き出し音を安定させることができる。
【００８３】
また、相対湿度センサがなくとも、外気温度と加湿ファン８の通過空気温度に基づいて相対湿度を推定することができ、コストを低減することができる。
【００８４】
（第５実施形態）
次に、この発明の第５実施形態の加湿機能を有する空気調和機について説明する。この第５実施形態の加湿機能を有する空気調和機は、第３実施形態の加湿機能を有する空気調和機と同一の構成をしており、加湿制御部３３の加湿制御処理のみが異なる。
【００８５】
図１０は上記加湿機能を有する空気調和機の加湿制御処理の加湿制御部３３の動作を示すフローチャートである。なお、この加湿制御処理がスタートする前に、加湿ファン８の回転数と目標通過空気温度と目標絶対湿度に初期値を夫々設定する。
【００８６】
まず、処理がスタートすると、ステップＳ７１で加湿ファン８の回転数を変えたか否かを判別して、加湿ファン８の回転数を変えていないと判別すると、ステップＳ７３に進む。一方、ステップＳ５１で加湿ファン８の回転数を変えたと判別すると、ステップＳ７２に進み、加湿ファン８の回転数に応じて目標通過空気温度と目標絶対湿度の変更を行い、ステップＳ７３に進む。ここで、加湿ファン８の回転数の大小に応じて目標通過空気温度を高低に設定すると共に、加湿ファン８の回転数が大きいほど目標絶対湿度を大きくする一方、加湿ファン８の回転数が小さいほど目標絶対湿度を小さくする。
【００８７】
次に、ステップＳ７３で加湿空気相対湿度センサ３５により相対湿度の読み込みを行う。
【００８８】
次に、ステップＳ７４で加湿空気温度センサ３２により加湿ファン８の通過空気温度の読み込みを行う。
【００８９】
次に、ステップＳ７５に進み、加湿空気の絶対湿度の算出を行う。
【００９０】
次に、ステップＳ７６に進み、通過空気温度が目標通過空気温度以上か否かを判別して、通過空気温度が目標通過空気温度未満であると判別すると、ステップＳ７９に進み、ヒータ出力を上げて、ステップＳ８１に進む。一方、ステップＳ７６で通過空気温度が目標通過空気温度以上であると判別すると、ステップＳ７７に進む。
【００９１】
次に、ステップＳ７７で算出された絶対湿度が目標絶対湿度以上か否かを判別して、絶対湿度が目標絶対湿度未満であると判別すると、ステップＳ７９に進み、ヒータ出力を上げて、ステップＳ８１に進む。一方、絶対湿度が目標絶対湿度以下であると判別すると、ステップＳ７８に進む。
【００９２】
次に、ステップＳ７８で加湿ファン８の通過空気温度が制限温度よりも高いか否かを判別して、通過空気温度が制限温度よりも高いと判別すると、ステップＳ８０に進み、ヒータ出力を所定出力下げて、ステップＳ８１に進む。
【００９３】
一方、ステップＳ７８で通過空気温度が制限温度以下であると判別すると、ステップＳ７１に戻る。
【００９４】
次に、ステップＳ８１でステップＳ７１に戻るサイクルを何回繰り返したか判断し、Ｎ回未満ならステップＳ７１に戻り、Ｎ回目ならステップＳ８２に進み、加湿ファン８の回転数を所定回転数下げて、ステップＳ７１に戻る。
【００９５】
このように、上記制御部３３によりヒータ６の出力を制御して、加湿ファン８を通過する加湿空気の温度,相対湿度に基づいて求められた絶対湿度を目標絶対湿度以上にし、かつ、加湿ファン８を通過する加湿空気の温度を目標通過空気温度以上にすることにより、加湿ファン８の回転騒音を左右する空気密度を小さくして、加湿空気の室内吹き出し音の上昇を低減することができる。また、上記加湿ファン８を通過する加湿空気の絶対湿度が目標絶対湿度以上の所定絶対湿度になるようにし、かつ、加湿ファン８を通過する加湿空気の温度を目標通過空気温度以上の所定温度になるようにすることで、室内吹き出し音を安定させることができる。
【００９６】
（第６実施形態）
次に、この発明の第６実施形態の加湿機能を有する空気調和機について説明する。この第６実施形態の加湿機能を有する空気調和機は、第１実施形態の加湿機能を有する空気調和機と同一の構成をしており、加湿制御部３３の加湿制御処理のみが異なる。
【００９７】
図１１は上記加湿機能を有する空気調和機の加湿制御処理の加湿制御部３３の動作を示すフローチャートである。なお、この加湿制御処理がスタートする前に、加湿ファン８の回転数と目標通過空気温度と目標絶対湿度に初期値を夫々設定する。
【００９８】
まず、処理がスタートすると、ステップＳ９１で加湿ファン８の回転数を変えたか否かを判別して、加湿ファン８の回転数を変えていないと判別すると、ステップＳ９３に進む。一方、ステップＳ９１で加湿ファン８の回転数を変えたと判別すると、ステップＳ９２に進み、加湿ファン８の回転数に応じて目標通過空気温度と目標絶対湿度の変更を行い、ステップＳ９３に進む。ここで、加湿ファン８の回転数の大小に応じて目標通過空気温度を高低に設定すると共に、加湿ファン８の回転数が大きいほど目標絶対湿度を大きくする一方、加湿ファン８の回転数が小さいほど目標絶対湿度を小さくする。
【００９９】
次に、ステップＳ９３で外気温度センサ３１により外気温度の読み込みを行う。
【０１００】
次に、ステップＳ９４で加湿空気温度センサ３２により加湿ファン８の通過空気温度の読み込みを行う。
【０１０１】
次に、ステップＳ９５に進み、相対湿度の推定を行う。
【０１０２】
次に、ステップＳ９６に進み、加湿空気の絶対湿度の算出を行う。
【０１０３】
次に、ステップＳ９７に進み、通過空気温度が目標通過空気温度以上か否かを判別して、通過空気温度が目標通過空気温度未満であると判別すると、ステップＳ９８に進む。一方、ステップＳ９７で通過空気温度が目標通過空気温度以上であると判別すると、ステップＳ９９に進む。
【０１０４】
次に、ステップＳ９８で絶対湿度が目標絶対湿度以上か否かを判別して、絶対湿度が目標絶対湿度未満であると判別すると、ステップＳ１００に進み、ヒータ出力を上げてステップＳ１０２に進む。一方、ステップＳ９８で絶対湿度が目標絶対湿度以上と判別すると、ステップＳ９９に進む。
【０１０５】
次に、ステップＳ９９で加湿ファン８の通過空気温度が制限温度よりも高いか否かを判別して、通過空気温度が制限温度よりも高いと判別すると、ステップＳ１０１に進み、ヒータ出力を所定出力下げて、ステップＳ１０２に進む。
【０１０６】
一方、ステップＳ９９で通過空気温度が制限温度以下であると判別すると、ステップＳ９１に戻る。
【０１０７】
次に、ステップＳ１０２でステップＳ９１に戻るサイクルを何回繰り返したか判断し、Ｎ回未満ならステップＳ９１に戻り、Ｎ回目ならステップＳ１０３に進み、加湿ファン８の回転数を所定回転数下げて、ステップＳ９１に戻る。
【０１０８】
このように、上記制御部３３によりヒータ６の出力を制御して、加湿ファン８を通過する加湿空気の温度,相対湿度に基づいて求められた絶対湿度を目標絶対湿度以上にするか、または、加湿ファン８を通過する加湿空気の温度を目標通過空気温度以上にすることにより、加湿ファン８の回転騒音を左右する空気密度を小さくして、加湿空気の室内吹き出し音の上昇を低減することができる。また、上記加湿ファン８を通過する加湿空気の絶対湿度が目標絶対湿度以上の所定絶対湿度になるようにするか、または、加湿ファン８を通過する加湿空気の温度を目標通過空気温度以上の所定温度になるようにすることで、室内吹き出し音を安定させることができる。
【０１０９】
また、相対湿度センサがなくとも、外気温度と加湿ファン８の通過空気温度に基づいて相対湿度を推定することができ、コストを低減することができる。
【０１１０】
（第７実施形態）
次に、この発明の第７実施形態の加湿機能を有する空気調和機について説明する。この第７実施形態の加湿機能を有する空気調和機は、第３実施形態の加湿機能を有する空気調和機と同一の構成をしており、加湿制御部３３の加湿制御処理のみが異なる。
【０１１１】
図１２は上記加湿機能を有する空気調和機の加湿制御処理の加湿制御部３３の動作を示すフローチャートである。なお、この加湿制御処理がスタートする前に、加湿ファン８の回転数と目標通過空気温度と目標絶対湿度に初期値を夫々設定する。
【０１１２】
まず、処理がスタートすると、ステップＳ１１１で加湿ファン８の回転数を変えたか否かを判別して、加湿ファン８の回転数を変えていないと判別すると、ステップＳ１１３に進む。一方、ステップＳ５１で加湿ファン８の回転数を変えたと判別すると、ステップＳ１１２に進み、加湿ファン８の回転数に応じて目標通過空気温度と目標絶対湿度の変更を行い、ステップＳ１１３に進む。ここで、加湿ファン８の回転数の大小に応じて目標通過空気温度を高低に設定すると共に、加湿ファン８の回転数が大きいほど目標絶対湿度を大きくする一方、加湿ファン８の回転数が小さいほど目標絶対湿度を小さくする。
【０１１３】
次に、ステップＳ１１３で加湿空気相対湿度センサ３５により相対湿度の読み込みを行う。
【０１１４】
次に、ステップＳ１１４で加湿空気温度センサ３２により加湿ファン８の通過空気温度の読み込みを行う。
【０１１５】
次に、ステップＳ１１５に進み、加湿空気の絶対湿度の算出を行う。
【０１１６】
次に、ステップＳ１１６に進み、通過空気温度が目標通過空気温度以上か否かを判別して、通過空気温度が目標通過空気温度未満であると判別すると、ステップＳ１１７に進む。一方、ステップＳ１１６で通過空気温度が目標通過空気温度以上であると判別すると、ステップＳ１１８に進む。
【０１１７】
次に、ステップＳ１１７で絶対湿度が目標絶対湿度以上であるか否かを判別して、絶対湿度が目標絶対湿度未満であると判別すると、ステップＳ１１９に進み、ヒータ出力を上げて、ステップＳ１２１に進む。一方、ステップＳ１１７で絶対湿度が目標絶対湿度以上と判別すると、ステップＳ１１８に進む。
【０１１８】
次に、ステップＳ１１８で加湿ファン８の通過空気温度が制限温度よりも高いか否かを判別して、通過空気温度が制限温度よりも高いと判別すると、ステップＳ１２０に進み、ヒータ出力を所定出力下げて、ステップＳ１２１に進む。
【０１１９】
一方、ステップＳ１１８で通過空気温度が制限温度以下であると判別すると、ステップＳ１１１に戻る。
【０１２０】
次に、ステップＳ１２１でステップＳ１１１に戻るサイクルを何回繰り返したか判断し、Ｎ回未満ならステップＳ１１１に戻り、Ｎ回目ならステップＳ１２２に進み、加湿ファン８の回転数を所定回転数下げて、ステップＳ１１１に戻る。
【０１２１】
このように、上記制御部３３によりヒータ６の出力を制御して、加湿ファン８を通過する加湿空気の温度,相対湿度に基づいて求められた絶対湿度を目標絶対湿度以上にするか、または、加湿ファン８を通過する加湿空気の温度を目標通過空気温度以上にすることにより、加湿ファン８の回転騒音を左右する空気密度を小さくして、加湿空気の室内吹き出し音の上昇を低減することができる。また、上記加湿ファン８を通過する加湿空気の絶対湿度が目標絶対湿度以上の所定絶対湿度になるようにするか、または、加湿ファン８を通過する加湿空気の温度を目標通過空気温度以上の所定温度になるようにすることで、室内吹き出し音を安定させることができる。
【０１２２】
（第８実施形態）
次に、この発明の第８実施形態の加湿機能を有する空気調和機について説明する。この第８実施形態の加湿機能を有する空気調和機は、加湿空気温度センサの代わりに加湿ファンの通過空気の絶対湿度を検出する加湿空気絶対湿度センサを備えている以外は第１実施形態の加湿機能を有する空気調和機と同一の構成をしており、加湿制御部３３の加湿制御処理のみが異なる。
【０１２３】
図１３は上記加湿機能を有する空気調和機の加湿制御処理の加湿制御部３３の動作を示すフローチャートである。なお、この加湿制御処理がスタートする前に、加湿ファン８の回転数と目標絶対湿度に初期値を夫々設定する。
【０１２４】
まず、処理がスタートすると、ステップＳ１３１で加湿ファン８の回転数を変えたか否かを判別して、加湿ファン８の回転数を変えていないと判別すると、ステップＳ１３３に進む。一方、ステップＳ１３１で加湿ファン８の回転数を変えたと判別すると、ステップＳ１３２に進み、加湿ファン８の回転数に応じて目標絶対湿度の変更を行い、ステップＳ１３３に進む。ここで、加湿ファン８の回転数の大小に応じて目標絶対湿度を高低に設定する。
【０１２５】
次に、ステップＳ１３３で加湿空気絶対湿度センサにより加湿ファン８の通過空気の絶対湿度の読み込みを行う。
【０１２６】
次に、ステップＳ１３４に進み、ステップＳ１３３で読み込んだ絶対湿度が目標絶対湿度以上か否かを判別して、絶対湿度が目標絶対湿度未満と判別すると、ステップＳ１３６に進み、ヒータ出力を上げて、ステップＳ１３８に進む。一方、ステップＳ１３４で絶対湿度が目標絶対湿度以上と判別すると、ステップＳ１３５に進む。
【０１２７】
次に、ステップＳ１３５で加湿ファン８の通過空気温度が制限温度よりも高いか否かを判別して、通過空気温度が制限温度よりも高いと判別すると、ステップＳ１３７に進み、ヒータ出力を所定出力下げて、ステップＳ１３８に進む。
【０１２８】
一方、ステップＳ１３５で通過空気温度が制限温度以下であると判別すると、ステップＳ１３１に戻る。
【０１２９】
次に、ステップＳ１３８でステップＳ１３１に戻るサイクルを何回繰り返したか判断し、Ｎ回未満ならステップＳ１３１に戻り、Ｎ回目ならステップＳ１３９に進み、加湿ファン８の回転数を所定回転数下げて、ステップＳ１３１に戻る。
【０１３０】
このように、上記制御部３３によりヒータ６の出力を制御して、加湿ファン８を通過する加湿空気の絶対湿度を目標絶対湿度以上にすることにより、加湿ファン８の回転騒音を左右する空気密度を小さくして、加湿空気の室内吹き出し音の上昇を低減することができる。また、上記加湿ファン８を通過する加湿空気の絶対湿度が目標絶対湿度以上の所定絶対湿度になるようにすることによって、室内吹き出し音を安定させることができる。
【０１３１】
【発明の効果】
【０１３２】
以上より明らかなように、請求項１の発明の加湿機能を有する空気調和機によれば、加湿ロータを通過する空気から水分を吸収した後、ヒータにより加熱された空気を加湿ロータに通過させて、上記加湿ロータから水分を脱着することにより加湿された空気を加湿ファンにより室内に吹き出す加湿機能を有する空気調和機において、加湿ファンの回転騒音が所定値以下になるように、制御部によって加湿ファンの風量とヒータの出力の少なくとも一方を制御することによって、加湿ファンの回転騒音を左右する回転数あるいは空気密度を小さくし、加湿ファンの回転騒音を低減することにより、加湿空気の室内吹き出し音の上昇を低減することができる。
また、加湿空気温度センサにより検出された加湿ファンを通過する加湿空気の温度が目標温度以上となるように、上記制御部がヒータの出力を制御することによって、加湿ファンの回転騒音を左右する空気密度を小さくして、加湿空気の室内吹き出し音の上昇を確実に低減することができる。また、上記加湿ファンを通過する加湿空気の温度が目標温度以上の所定温度になるようにすることで、安定した室内吹き出し音が得られる。
また、上記加湿ファンの風量の大小に応じて上記目標温度を高低に設定することによって、室内吹き出し音の上昇をより確実に低減することができる。
また、上記制御部の加湿ファンの風量とヒータの出力の制御により加湿空気の室内吹き出し音の上昇を低減するために加湿能力が変動することを考慮して、必要な加湿能力に応じて、例えば必要な加湿能力をある程度発揮しつつ、加湿空気の室内吹き出し音の上昇を低減するようにすることによって、室内吹き出し音の低減と加湿能力の確保とを両立させることができる。
【０１３３】
また、請求項２の発明の加湿機能を有する空気調和機によれば、加湿ロータを通過する空気から水分を吸収した後、ヒータにより加熱された空気を加湿ロータに通過させて、上記加湿ロータから水分を脱着することにより加湿された空気を加湿ファンにより室内に吹き出す加湿機能を有する空気調和機において、加湿ファンの回転騒音が所定値以下になるように、制御部によって加湿ファンの風量とヒータの出力の少なくとも一方を制御することによって、加湿ファンの回転騒音を左右する回転数あるいは空気密度を小さくし、加湿ファンの回転騒音を低減することにより、加湿空気の室内吹き出し音の上昇を低減することができる。
また、外気温度センサにより検出された外気温度および加湿空気温度センサにより検出された加湿ファンを通過する加湿空気の温度に基づいて相対湿度を推定し、さらにその相対湿度および加湿ファンの風量に基づいて加湿ファンを通過する加湿空気の質量流量を求めて、その質量流量が目標質量流量以下となるように、上記制御部がヒータの出力を制御することによって、加湿ファンの回転騒音を左右する空気密度を小さくして、加湿空気の室内吹き出し音の上昇を確実に低減することができる。また、上記加湿ファンを通過する加湿空気の質量流量が目標質量流量以下の所定質量流量になるようにすることで、安定した室内吹き出し音が得られる。また、外気温度と加湿ファンの通過空気温度に基づいて相対湿度を推定することによって、相対湿度センサを別に用いずにコストを低減できる。
また、上記加湿ファンの風量の大小に応じて上記目標質量流量を大小に設定することによって、室内吹き出し音の上昇をより確実に低減することができる。
また、上記制御部の加湿ファンの風量とヒータの出力の制御により加湿空気の室内吹き出し音の上昇を低減するために加湿能力が変動することを考慮して、必要な加湿能力に応じて、例えば必要な加湿能力をある程度発揮しつつ、加湿空気の室内吹き出し音の上昇を低減するようにすることによって、室内吹き出し音の低減と加湿能力の確保とを両立させることができる。
【０１３４】
また、請求項３の発明の加湿機能を有する空気調和機によれば、加湿ロータを通過する空気から水分を吸収した後、ヒータにより加熱された空気を加湿ロータに通過させて、上記加湿ロータから水分を脱着することにより加湿された空気を加湿ファンにより室内に吹き出す加湿機能を有する空気調和機において、加湿ファンの回転騒音が所定値以下になるように、制御部によって加湿ファンの風量とヒータの出力の少なくとも一方を制御することによって、加湿ファンの回転騒音を左右する回転数あるいは空気密度を小さくし、加湿ファンの回転騒音を低減することにより、加湿空気の室内吹き出し音の上昇を低減することができる。
また、加湿空気温度センサにより検出された加湿ファンを通過する加湿空気の温度および加湿空気相対湿度センサにより検出された加湿ファンを通過する加湿空気の相対湿度および加湿ファンの風量に基づいて加湿ファンを通過する加湿空気の質量流量を求めて、その質量流量が目標質量流量以下となるように、上記制御部がヒータの出力を制御することによって、加湿ファンの回転騒音を左右する空気密度を小さくして、加湿空気の室内吹き出し音の上昇を確実に低減することができる。また、上記加湿ファンを通過する加湿空気の質量流量が目標質量流量以下の所定質量流量になるようにすることで、安定した室内吹き出し音が得られる。
また、上記加湿ファンの風量の大小に応じて上記目標質量流量を大小に設定することによって、室内吹き出し音の上昇をより確実に低減することができる。
また、上記制御部の加湿ファンの風量とヒータの出力の制御により加湿空気の室内吹き出し音の上昇を低減するために加湿能力が変動することを考慮して、必要な加湿能力に応じて、例えば必要な加湿能力をある程度発揮しつつ、加湿空気の室内吹き出し音の上昇を低減するようにすることによって、室内吹き出し音の低減と加湿能力の確保とを両立させることができる。
【０１３５】
また、請求項４の発明の加湿機能を有する空気調和機によれば、加湿ロータを通過する空気から水分を吸収した後、ヒータにより加熱された空気を加湿ロータに通過させて、上記加湿ロータから水分を脱着することにより加湿された空気を加湿ファンにより室内に吹き出す加湿機能を有する空気調和機において、加湿ファンの回転騒音が所定値以下になるように、制御部によって加湿ファンの風量とヒータの出力の少なくとも一方を制御することによって、加湿ファンの回転騒音を左右する回転数あるいは空気密度を小さくし、加湿ファンの回転騒音を低減することにより、加湿空気の室内吹き出し音の上昇を低減することができる。
また、外気温度センサにより検出された外気温度および加湿空気温度センサにより検出された加湿ファンを通過する加湿空気の温度に基づいて相対湿度を推定し、さらにその相対湿度と加湿空気の温度に基づいて加湿ファンを通過する加湿空気の絶対湿度を求めて、その絶対湿度が目標絶対湿度以上となり、かつ、加湿ファンを通過する加湿空気の温度が目標温度以上となるように、上記制御部がヒータの出力を制御することによって、加湿ファンの回転騒音を左右する空気密度を小さくして、加湿空気の室内吹き出し音の上昇を確実に低減することができる。また、上記加湿ファンを通過する加湿空気の絶対湿度が目標絶対湿度以上の所定絶対湿度になるようにし、かつ、加湿ファンを通過する加湿空気の温度を目標温度以上の所定温度になるようにすることで、安定した室内吹き出し音が得られる。また、外気温度と加湿ファンの通過空気温度に基づいて相対湿度を推定することによって、相対湿度センサを別に用いずにコストを低減できる。
また、上記加湿ファンの風量の大小に応じて上記目標温度を高低に設定することによって、室内吹き出し音の上昇をより確実に低減することができる。
また、上記加湿ファンの風量の大小に応じて上記目標絶対湿度を高低に設定することによって、室内吹き出し音の上昇をより確実に低減することができる。
また、上記制御部の加湿ファンの風量とヒータの出力の制御により加湿空気の室内吹き出し音の上昇を低減するために加湿能力が変動することを考慮して、必要な加湿能力に応じて、例えば必要な加湿能力をある程度発揮しつつ、加湿空気の室内吹き出し音の上昇を低減するようにすることによって、室内吹き出し音の低減と加湿能力の確保とを両立させることができる。
【０１３６】
また、請求項５の発明の加湿機能を有する空気調和機によれば、加湿ロータを通過する空気から水分を吸収した後、ヒータにより加熱された空気を加湿ロータに通過させて、上記加湿ロータから水分を脱着することにより加湿された空気を加湿ファンにより室内に吹き出す加湿機能を有する空気調和機において、加湿ファンの回転騒音が所定値以下になるように、制御部によって加湿ファンの風量とヒータの出力の少なくとも一方を制御することによって、加湿ファンの回転騒音を左右する回転数あるいは空気密度を小さくし、加湿ファンの回転騒音を低減することにより、加湿空気の室内吹き出し音の上昇を低減することができる。
また、加湿空気温度センサにより検出された加湿ファンを通過する加湿空気の温度および加湿空気相対湿度センサにより検出された加湿ファンを通過する加湿空気の相対湿度に基づいて加湿ファンを通過する加湿空気の絶対湿度を求めて、その絶対湿度が目標絶対湿度以上となり、かつ、加湿ファンを通過する加湿空気の温度が目標温度以上となるように、上記制御部がヒータの出力を制御することによって、加湿ファンの回転騒音を左右する空気密度を小さくして、加湿空気の室内吹き出し音の上昇を確実に低減することができる。また、上記加湿ファンを通過する加湿空気の絶対湿度が目標絶対湿度以上の所定絶対湿度になるようにし、かつ、加湿ファンを通過する加湿空気の温度を目標温度以上の所定温度になるようにすることで、安定した室内吹き出し音が得られる。
また、上記加湿ファンの風量の大小に応じて上記目標温度を高低に設定することによって、室内吹き出し音の上昇をより確実に低減することができる。
また、上記加湿ファンの風量の大小に応じて上記目標絶対湿度を高低に設定することによって、室内吹き出し音の上昇をより確実に低減することができる。
また、上記制御部の加湿ファンの風量とヒータの出力の制御により加湿空気の室内吹き出し音の上昇を低減するために加湿能力が変動することを考慮して、必要な加湿能力に応じて、例えば必要な加湿能力をある程度発揮しつつ、加湿空気の室内吹き出し音の上昇を低減するようにすることによって、室内吹き出し音の低減と加湿能力の確保とを両立させることができる。
【０１３７】
また、請求項６の発明の加湿機能を有する空気調和機によれば、加湿ロータを通過する空気から水分を吸収した後、ヒータにより加熱された空気を加湿ロータに通過させて、上記加湿ロータから水分を脱着することにより加湿された空気を加湿ファンにより室内に吹き出す加湿機能を有する空気調和機において、加湿ファンの回転騒音が所定値以下になるように、制御部によって加湿ファンの風量とヒータの出力の少なくとも一方を制御することによって、加湿ファンの回転騒音を左右する回転数あるいは空気密度を小さくし、加湿ファンの回転騒音を低減することにより、加湿空気の室内吹き出し音の上昇を低減することができる。
また、外気温度センサにより検出された外気温度および加湿空気温度センサにより検出された加湿ファンを通過する加湿空気の温度に基づいて相対湿度を推定し、さらにその相対湿度と加湿空気の温度に基づいて加湿ファンを通過する加湿空気の絶対湿度を求めて、その絶対湿度が目標絶対湿度以上となるか、または、加湿ファンを通過する加湿空気の温度が目標温度以上となるように、上記制御部がヒータの出力を制御することによって、加湿ファンの回転騒音を左右する空気密度を小さくして、加湿空気の室内吹き出し音の上昇を確実に低減することができる。また、上記加湿ファンを通過する加湿空気の絶対湿度が目標絶対湿度以上の所定絶対湿度になるようにするか、または、加湿ファンを通過する加湿空気の温度を目標温度以上の所定温度になるようにすることで、安定した室内吹き出し音が得られる。また、外気温度と加湿ファンの通過空気温度に基づいて相対湿度を推定することによって、相対湿度センサを別に用いずにコストを低減できる。
また、上記加湿ファンの風量の大小に応じて上記目標温度を高低に設定することによって、室内吹き出し音の上昇をより確実に低減することができる。
また、上記加湿ファンの風量の大小に応じて上記目標絶対湿度を高低に設定することによって、室内吹き出し音の上昇をより確実に低減することができる。
また、上記制御部の加湿ファンの風量とヒータの出力の制御により加湿空気の室内吹き出し音の上昇を低減するために加湿能力が変動することを考慮して、必要な加湿能力に応じて、例えば必要な加湿能力をある程度発揮しつつ、加湿空気の室内吹き出し音の上昇を低減するようにすることによって、室内吹き出し音の低減と加湿能力の確保とを両立させることができる。
【０１３８】
また、請求項７の発明の加湿機能を有する空気調和機によれば、加湿ロータを通過する空気から水分を吸収した後、ヒータにより加熱された空気を加湿ロータに通過させて、上記加湿ロータから水分を脱着することにより加湿された空気を加湿ファンにより室内に吹き出す加湿機能を有する空気調和機において、加湿ファンの回転騒音が所定値以下になるように、制御部によって加湿ファンの風量とヒータの出力の少なくとも一方を制御することによって、加湿ファンの回転騒音を左右する回転数あるいは空気密度を小さくし、加湿ファンの回転騒音を低減することにより、加湿空気の室内吹き出し音の上昇を低減することができる。
また、加湿空気温度センサにより検出された加湿ファンを通過する加湿空気の温度および加湿空気相対湿度センサにより検出された加湿ファンを通過する加湿空気の相対湿度に基づいて加湿ファンを通過する加湿空気の絶対湿度を求めて、その絶対湿度が目標絶対湿度以上となるか、または、加湿ファンを通過する加湿空気の温度が目標温度以上となるように、上記制御部がヒータの出力を制御することによって、加湿ファンの回転騒音を左右する空気密度を小さくして、加湿空気の室内吹き出し音の上昇を確実に低減することができる。また、上記加湿ファンを通過する加湿空気の絶対湿度が目標絶対湿度以上の所定絶対湿度になるようにするか、または、加湿ファンを通過する加湿空気の温度を目標温度以上の所定温度になるようにすることで、安定した室内吹き出し音が得られる。
また、上記加湿ファンの風量の大小に応じて上記目標温度を高低に設定することによって、室内吹き出し音の上昇をより確実に低減することができる。
また、上記加湿ファンの風量の大小に応じて上記目標絶対湿度を高低に設定することによって、室内吹き出し音の上昇をより確実に低減することができる。
また、上記制御部の加湿ファンの風量とヒータの出力の制御により加湿空気の室内吹き出し音の上昇を低減するために加湿能力が変動することを考慮して、必要な加湿能力に応じて、例えば必要な加湿能力をある程度発揮しつつ、加湿空気の室内吹き出し音の上昇を低減するようにすることによって、室内吹き出し音の低減と加湿能力の確保とを両立させることができる。
【０１３９】
また、請求項８の発明の加湿機能を有する空気調和機によれば、加湿ロータを通過する空気から水分を吸収した後、ヒータにより加熱された空気を加湿ロータに通過させて、上記加湿ロータから水分を脱着することにより加湿された空気を加湿ファンにより室内に吹き出す加湿機能を有する空気調和機において、加湿ファンの回転騒音が所定値以下になるように、制御部によって加湿ファンの風量とヒータの出力の少なくとも一方を制御することによって、加湿ファンの回転騒音を左右する回転数あるいは空気密度を小さくし、加湿ファンの回転騒音を低減することにより、加湿空気の室内吹き出し音の上昇を低減することができる。
また、加湿空気絶対湿度センサにより検出された加湿ファンを通過する加湿空気の絶対湿度が目標絶対湿度以上となるように、上記制御部がヒータの出力を制御することによって、加湿ファンの回転騒音を左右する空気密度を小さくして、加湿空気の室内吹き出し音の上昇を確実に低減することができる。また、上記加湿ファンを通過する加湿空気の絶対湿度が目標絶対湿度以上の所定絶対湿度になるようにすることで、安定した室内吹き出し音が得られる。
また、上記加湿ファンの風量の大小に応じて上記目標絶対湿度を高低に設定することによって、室内吹き出し音の上昇をより確実に低減することができる。
また、上記制御部の加湿ファンの風量とヒータの出力の制御により加湿空気の室内吹き出し音の上昇を低減するために加湿能力が変動することを考慮して、必要な加湿能力に応じて、例えば必要な加湿能力をある程度発揮しつつ、加湿空気の室内吹き出し音の上昇を低減するようにすることによって、室内吹き出し音の低減と加湿能力の確保とを両立させることができる。
【０１４０】
【０１４１】
【０１４２】
【０１４３】
【図面の簡単な説明】
【図１】  図１はこの発明の第１実施形態の加湿機能を有する空気調和機の図である。
【図２】  図２は上記加湿機能を有する空気調和機の室外機の模式図である。
【図３】  図３は上記加湿機能を有する空気調和機の加湿ファン部および底フレームの要部の側面図である。
【図４】  図４は上記加湿機能を有する空気調和機のブロック図である。
【図５】  図５は上記加湿機能を有する空気調和機の加湿制御処理の加湿制御部の動作を示すフローチャートである。
【図６】  図６はこの発明の第２実施形態の加湿機能を有する空気調和機の加湿制御処理の加湿制御部の動作を示すフローチャートである。
【図７】  図７はこの発明の第３実施形態の加湿機能を有する空気調和機のブロック図である。
【図８】  図８は上記加湿機能を有する空気調和機の加湿制御処理の加湿制御部の動作を示すフローチャートである。
【図９】  図９はこの発明の第４実施形態の加湿機能を有する空気調和機の加湿制御処理の加湿制御部の動作を示すフローチャートである。
【図１０】  図１０はこの発明の第５実施形態の加湿機能を有する空気調和機の加湿制御処理の加湿制御部の動作を示すフローチャートである。
【図１１】  図１１はこの発明の第６実施形態の加湿機能を有する空気調和機の加湿制御処理の加湿制御部の動作を示すフローチャートである。
【図１２】  図１２はこの発明の第７実施形態の加湿機能を有する空気調和機の加湿制御処理の加湿制御部の動作を示すフローチャートである。
【図１３】  図１３はこの発明の第８実施形態の加湿機能を有する空気調和機の加湿制御処理の加湿制御部の動作を示すフローチャートである。
【図１４】  図１４は風量の大小に応じた加湿ファン通過空気の温度と室内吹き出し音の関係を示す図である。
【符号の説明】
１…加湿ユニット、
２…加湿ロータ、
３…吸湿通路、
４…加湿通路、
５…採熱通路、
６…ヒータ、
７…吸湿ファン、
８…加湿ファン、
１０…底フレーム、
１１…室外機、
１２…機械室、
１３…吸入口、
１４…熱交換器、
２１…加湿ファン用モータ、
２２…モータ取付板、
２３…加湿ファン用ハウジング、
２４…ベルマウス、
２５…吸い込み通路、
３１…外気温度センサ、
３２…加湿空気温度センサ、
３３…加湿制御部、
３５…加湿空気相対湿度センサ。
【図１】
0004710138.tif 000002
【図２】
0004710138.tif 000003
【図３】
0004710138.tif 000004
【図４】
0004710138.tif 000005
【図５】
0004710138.tif 000006
【図６】
0004710138.tif 000007
【図７】
0004710138.tif 000008
【図８】
0004710138.tif 000009
【図９】
0004710138.tif 000010
【図１０】
0004710138.tif 000011
【図１１】
0004710138.tif 000012
【図１２】
0004710138.tif 000013
【図１３】
0004710138.tif 000014
【図１４】
0004710138.tif 000015